(57)【要約】      （修正有）【課題】搬送時等において、形状が崩れ難く、食品の取り出し時等において容易に動かない、食品陳列用容器を提供する。【解決手段】上面が開口した剛性枠体１０と、該剛性枠体１０内に収納された合成樹脂シートの成形品からなる食品収納容器２０とから構成されていることを特徴とする。合成樹脂シートの成形品からなる食品収納容器が、剛性枠体により補強されるため、食品を収納した状態で搬送した場合等にも、食品収納容器の形状が崩れ難く、収納した食品が落ちる虞がない。また、陳列状態において収納した食品を取り出す場合等においても、剛性枠体が重量を有し抵抗となるため、容器が容易に動かず、食品の取り出しをスムースに行うことができる。【選択図】図１
0003157272.tif 000002
【実用新案登録請求の範囲】
【請求項１】
上面が開口した剛性枠体と、該剛性枠体内に収納された合成樹脂シートの成形品からなる食品収納容器とから構成されていることを特徴とする、食品陳列用容器。
【請求項２】
上記剛性枠体が、箱状であることを特徴とする、請求項１に記載の食品陳列用容器。
【請求項３】
上記剛性枠体が、木材により形成されていることを特徴とする、請求項１又は２に記載の食品陳列用容器。
【請求項４】
上記剛性枠体が、矩形に組立てられた側板材と、該側板材の下端間に隙間を開けて差し渡された底板材とから構成されていることを特徴とする、請求項１〜３のいずれかに記載の食品陳列用容器。
【請求項５】
上記剛性枠体の上端外側角部が、面取りされていることを特徴とする、請求項１〜４のいずれかに記載の食品陳列用容器。
【請求項６】
上記食品収納容器が、上面が開口した箱状の容器本体と、該容器本体の開口を塞ぐ蓋体とから構成されていることを特徴とする、請求項１〜５のいずれかに記載の食品陳列用容器。
【請求項７】
上記剛性枠体に上記容器本体を収納した状態において、両者の上端が略同一高さであることを特徴とする、請求項６に記載の食品陳列用容器。
【請求項８】
上記容器本体の後端部と上記蓋体の後端部とが結合され、上記蓋体が上記容器本体に対して開閉自在とされていることを特徴とする、請求項６又は７に記載の食品陳列用容器。
【請求項９】
上記容器本体の後端部上面及び上記蓋体の後端部下面に各々凹部及び／又は凸部が形成され、それらの凹部及び凸部を互いに嵌合させて上記蓋体が上記容器本体に結合されていると共に、上記蓋体の上記後端部に幅方向に延びるヒンジが形成され、該後端部を除く蓋体が上記容器本体に対して開閉自在とされていることを特徴とする、請求項８に記載の食品陳列用容器。
【請求項１０】
上記蓋体の前端部下面及び両側端部下面にそれらのほぼ全長にわたって凸条又は凹条の一方が形成され、上記容器本体における上記蓋体と対向する部分に凸条又は凹条の他方が形成せれ、それらの凸条及び凹条を互いに重なり合わせることによって、上記蓋体が上記容器本体に位置決めされることを特徴とする、請求項６〜９のいずれかに記載の食品陳列用容器。
【請求項１１】
上記蓋体の後面壁が、略垂直に立ち上げて形成されていることを特徴とする、請求項６〜１０のいずれかに記載の食品陳列用容器。
【請求項１２】
上記蓋体の前端部に、上記剛性枠体の外方に張り出す把手が形成されていることを特徴とする、請求項６〜１１のいずれかに記載の食品陳列用容器。
【請求項１３】
上記蓋体が、ポリスチレン系樹脂，ポリエステル系樹脂，ポリプロピレン系樹脂から選択される一種以上の熱可塑性樹脂からなることを特徴とする、請求項６〜１２のいずれかに記載の食品陳列用容器。
【請求項１４】
請求項６〜１３のいずれかに記載の食品陳列用容器に用いられる食品収納容器。
【考案の詳細な説明】
【技術分野】
【０００１】
本考案は、食品陳列用容器及び該食品陳列用容器に用いられる食品収納容器に関するものである。
【背景技術】
【０００２】
スーパーマーケット等において、カツ、コロッケ、てんぷら等の惣菜は、それらをトレー上に並べた状態で販売されており、購入者は、そこからトングで惣菜を挟んで取り出し、別の容器に入れてレジまで持参する。
このように惣菜が、トレー上に裸のまま並べられていると、周囲から塵埃等が付着する虞があり、非衛生的である。
そこで、スーパーマーケットによっては、透明な蓋を有する容器（例えば、特許文献１、特許文献２等）を使用し、容器内に惣菜を並べた状態で収容し、蓋をして食品を保護し、購入する際に、購入者が蓋を開けて中から惣菜を取り出し、その後蓋を閉じるようにしている。
【先行技術文献】
【特許文献】
【０００３】
【特許文献１】実用新案登録第３０９３２００号
【特許文献２】実用新案登録第３１５４６１４号
【考案の概要】
【考案が解決しようとする課題】
【０００４】
しかしながら、上記した特許文献に開示された食品収納容器にあっては、その全体が薄い合成樹脂シートの成形品で構成されているため、惣菜を入れて搬送する際等に、容器の形状が崩れ、惣菜を落としてしまう虞があり、また、蓋を開ける際や惣菜を容器から取り出す際等に、容器が軽いために容易に動き、惣菜を取り出し難い場合があった。
【０００５】
本考案は、上述した背景技術が有する課題に鑑みなされたものであって、その目的は、搬送時等において、形状が崩れ難く、食品の取り出し時等において、容易に動かない、食品陳列用容器を提供することにある。
【課題を解決するための手段】
【０００６】
上記した目的を達成するため、請求項１の食品陳列用容器は、上面が開口した剛性枠体と、該剛性枠体内に収納された合成樹脂シートの成形品からなる食品収納容器とから構成されていることを特徴とする。
【０００７】
また、請求項２の食品陳列用容器は、上記請求項１の考案において、上記剛性枠体が、箱状であることを特徴とする。
【０００８】
また、請求項３の食品陳列用容器は、上記請求項１又は２の考案において、上記剛性枠体が、木材により形成されていることを特徴とする。
【０００９】
また、請求項４の食品陳列用容器は、上記請求項１〜３のいずれかの考案において、上記剛性枠体が、矩形に組立てられた側板材と、該側板材の下端間に隙間を開けて差し渡された底板材とから構成されていることを特徴とする。
【００１０】
また、請求項５の食品陳列用容器は、上記請求項１〜４のいずれかの考案において、上記剛性枠体の上端外側角部が、面取りされていることを特徴とする。
【００１１】
また、請求項６の食品陳列用容器は、上記請求項１〜５のいずれかの考案において、上記食品収納容器が、上面が開口した箱状の容器本体と、該容器本体の開口を塞ぐ蓋体とから構成されていることを特徴とする。
【００１２】
また、請求項７の食品陳列用容器は、上記請求項６の考案において、上記剛性枠体に上記容器本体を収納した状態において、両者の上端が略同一高さであることを特徴とする。
【００１３】
また、請求項８の食品陳列用容器は、上記請求項６又は７の考案において、上記容器本体の後端部と上記蓋体の後端部とが結合され、上記蓋体が上記容器本体に対して開閉自在とされていることを特徴とする。
【００１４】
また、請求項９の食品陳列用容器は、上記請求項８の考案において、上記容器本体の後端部上面及び上記蓋体の後端部下面に各々凹部及び／又は凸部が形成され、それらの凹部及び凸部を互いに嵌合させて上記蓋体が上記容器本体に結合されていると共に、上記蓋体の上記後端部に幅方向に延びるヒンジが形成され、該後端部を除く蓋体が上記容器本体に対して開閉自在とされていることを特徴とする。
【００１５】
また、請求項１０の食品陳列用容器は、上記請求項６〜９のいずれかの考案において、上記蓋体の前端部下面及び両側端部下面にそれらのほぼ全長にわたって凸条又は凹条の一方が形成され、上記容器本体における上記蓋体と対向する部分に凸条又は凹条の他方が形成せれ、それらの凸条及び凹条を互いに重なり合わせることによって、上記蓋体が上記容器本体に位置決めされることを特徴とする。
【００１６】
また、請求項１１の食品陳列用容器は、上記請求項８〜１０のいずれかの考案において、上記蓋体の後面壁が、略垂直に立ち上げて形成されていることを特徴とする。
【００１７】
また、請求項１２の食品陳列用容器は、上記請求項６〜１１のいずれかの考案において、上記蓋体の前端部に、上記剛性枠体の外方に張り出す把手が形成されていることを特徴とする。
【００１８】
また、請求項１３の食品陳列用容器は、上記請求項６〜１２のいずれかの考案において、上記蓋体が、ポリスチレン系樹脂，ポリエステル系樹脂，ポリプロピレン系樹脂から選択される一種以上の熱可塑性樹脂からなることを特徴とする。
【００１９】
また、請求項１４の食品収納容器は、上記請求項６〜１３のいずれかに記載の食品陳列用容器に用いられる食品収納容器である。
【考案の効果】
【００２０】
上記した請求項１の食品陳列用容器によれば、合成樹脂シートの成形品からなる食品収納容器が、剛性枠体により補強されるため、食品を収納した状態で搬送した場合等にも、食品収納容器の形状が崩れ難く、収納した食品が落ちる虞がない。また、陳列状態において収納した食品を取り出す場合等においても、剛性枠体が重量を有し抵抗となるため、容器が容易に動かず、食品の取り出しをスムースに行うことができる。
【００２１】
また、上記した請求項２の食品陳列用容器によれば、剛性枠体が、箱状であるため、食品収納容器の収納状態が良好となり、取扱性が優れたものとなると共に、食品収納容器の形状がさらに崩れ難くなる。
【００２２】
また、上記した請求項３の食品陳列用容器によれば、剛性枠体が、木材により形成されているため、重量感及び高級感のある食品陳列用容器となる。
【００２３】
また、上記した請求項４の食品陳列用容器によれば、剛性枠体が、矩形に組立てられた側板材と、該側板材の下端間に隙間を開けて差し渡された底板材とから構成されているため、組立てが容易であると共に、安価に製造することができる。
【００２４】
また、上記した請求項５の食品陳列用容器によれば、剛性枠体の上端外側角部が、面取りされているため、安全であると共に、見栄えのよい食品陳列用容器となる。
【００２５】
また、上記した請求項６の食品陳列用容器によれば、食品収納容器が、上面が開口した箱状の容器本体と、該容器本体の開口を塞ぐ蓋体とから構成されているため、収納した食品に周囲から塵埃等が付着し難く、衛生的である。
【００２６】
また、上記した請求項７の食品陳列用容器によれば、剛性枠体に容器本体を収納した状態において、両者の上端が略同一高さであるため、容器本体を剛性枠体によって十分に保護できると共に、容器本体から収納した食品を取り出す時、剛性枠体が邪魔となることはない。
【００２７】
また、上記した請求項８の食品陳列用容器によれば、容器本体の後端部と蓋体の後端部とが結合され、蓋体が容器本体に対して開閉自在とされているため、蓋体の開閉が容易なものとなる。
【００２８】
また、上記した請求項９の食品陳列用容器によれば、容器本体と蓋体とがそれらの後端部に形成された凹部と凸部との嵌合によって結合されるため、信頼性の高い結合が可能となり、蓋体が容器本体から外れ難いものとなる。また、蓋体の後端部に形成したヒンジによってその後端部の除く部分を開くことができるため、開放される部分が広く、従って、食品の取り出しが容易となる。
【００２９】
また、上記した請求項１０の食品陳列用容器によれば、蓋部の周縁が、容器本体の周縁に凸条及び凹条によって重なり合うため、外部からの容器内への塵埃等の侵入を効果的に防ぐことができる。
【００３０】
また、上記した請求項１１の食品陳列用容器によれば、蓋体の後面壁が、略垂直に立ち上げて形成されているため、蓋体を開成した場合に、蓋体の後面壁が後端部に当たり、蓋体を略９０度の開成角度に保持することができる。
【００３１】
また、上記した請求項１２の食品陳列用容器によれば、蓋体の前端部に、剛性枠体の外方に張り出す把手が形成されているため、把手を摘んで蓋体を容易に開くことができ、操作性がよい。
【００３２】
また、上記した請求項１３の食品陳列用容器によれば、蓋体がポリスチレン系樹脂，ポリエステル系樹脂，ポリプロピレン系樹脂から選択される一種以上の熱可塑性樹脂によって形成されているため、寸法精度がよく、しかも透明度が高いため、内容物を厳密に吟味することができる。
【００３３】
また、上記した請求項１４の食品収納容器によれば、上記請求項６〜１３のいずれかに記載の食品陳列用容器が奏する効果を実現できる食品収納容器となる。
【図面の簡単な説明】
【００３４】
【図１】本考案に係る食品陳列用容器の一実施の形態を示した分解斜視図である。
【図２】図１に示した食品陳列用容器を組み付け、蓋を閉じた状態を示した斜視図である。
【図３】図２に示した食品陳列用容器の蓋を開けた状態を示した斜視図である。
【図４】図２におけるＡ−Ａ線に沿う部分の拡大断面図である。
【図５】図２におけるＢ−Ｂ線に沿う部分の拡大断面図である。
【図６】図２におけるＣ−Ｃ線に沿う部分の拡大断面図である。
【考案を実施するための形態】
【００３５】
以下、上記した本考案に係る食品陳列用容器を、図面に示した実施の形態に基づいて詳細に説明する。
【００３６】
図１乃至図６は、本考案に係る食品陳列用容器を示しており、該食品陳列用容器１は、剛性枠体１０と、該剛性枠体１０内に収納される食品収納容器２０とから構成されている。
【００３７】
上記剛性枠体１０は、図示したように、上面が開口した薄い箱状に形成されており、矩形に組立てられた４枚の側板材１１（１１ａ，１１ｂ，１１ｃ，１１ｄ）と、該側板材１１の下端間に隙間を開けて差し渡された３枚の底板材１２（１２ａ，１２ｂ，１２ｃ）とから構成され、食品収納容器２０を収納する収納部１４が画成されている。また、各側板材１１の上端外側角部には、安全性及び見栄えの観点等から、弧状の面取り１３が施されている。
なお、剛性枠体１０は、図示したように食品収納容器２０の収納部１４を１つ画成されているものとしてもよいが、中仕切り材を設ける等して、収納部が複数画成されていているものとしてもよい。
また、上記底板材１２は必ずしも必要ではなく、剛性枠体１０が側板材１１のみから構成されていてもよいが、搬送時の取扱性等の観点から、剛性枠体１０に上記底板材１２が設けられていることは好ましい。側板材１１のみから構成する場合には、剛性枠体１０内部に突条を設けたり、収納する食品収納容器２０にフランジを設けたりする等により、収納した食品収納容器２０が剛性枠体１０から落下しないようにすることが好ましい。また、上記底板材１２を設ける場合には、底板材間の隙間は必ずしも必要ではなく、剛性枠体１０の下面側全体を覆うように、一枚の底板材で底板部が構成されていても、複数の底板材が隙間なく配置されていてもよい。
【００３８】
上記剛性枠体１０を形成する材料としては、木材、非発泡或いは発泡の合成樹脂、アルミニウム等の軽量金属が挙げられるが、中でも、木材が、加工の容易性、及び重量感、高級感のある食品陳列用容器を提供できる観点等から好ましい。
木材を剛性枠体１０の材料として用いた場合は、その板厚は５〜１５ｍｍ程度あればよく、図示した実施の形態のものにあっては、側板材１１として１０ｍｍ厚の木材、底板材１２として６ｍｍ厚の木材をそれぞれ使用し、幅３００ｍｍ、長さ３５０ｍｍ、高さ３５ｍｍ程度の収納部１４を有する薄い箱状の剛性枠体１０に形成されている。
【００３９】
上記剛性枠体１０に収納される食品収納容器２０は、合成樹脂シートの成形品からなり、図示した実施の形態のものにあっては、上面が開口した箱状の容器本体３０と、該容器本体の開口を塞ぐ蓋体４０とから構成されている。
【００４０】
上記容器本体３０は、惣菜等を並べて収容する収容凹部３１を有している。そして、蓋体４０の組み付け部を容器本体３０の後方としたとき、前記収容凹部３１を画成する前面壁３２ａ，両側面壁３２ｂ、３２ｂ，後面壁３２ｃの上端には、全周にわたって外方へ拡張されたフランジ３３が形成されており、該フランジ３３の周縁には下方に折り曲げられ、さらに水平方向外方へ張り出す縁部３４が形成されている。
【００４１】
そして、前面壁３２ａ及び両側面壁３２ｂ，３２ｂのフランジ部分３３ａ，３３ｂ，３３ｂには、その幅方向中央にほぼ全長にわたって凹条３５が形成されている。また、後面壁３２ｃのフランジ部分３３ｃは、上記フランジ部分３３ａ，３３ｂ，３３ｂよりも幅が広く形成されている。そして、そのフランジ部分３３ｃには、斜め上方に向けて収容凹部３１に開口された３つの凹部３６が形成され、該凹部３６によって後面壁３２ｃの外方に向けて張り出す補強リブ３７が構成されている。また、このフランジ部分３３ｃの凹部３６を除く部分には、上方に開口する４つの円形凹部３８が形成されている。また、容器本体３０の底壁３２ｄには、斜め帯状の凸模様３９が収容空間３１に突出形成されている。
【００４２】
一方、上記容器本体３０の開口を塞ぐ蓋体４０は、中央がドーム状に形成され、それによって下方に向けて開放された天井空間４１を画成している。この蓋体４０は、上記容器本体３０とほぼ同じ外郭を有しており、前面壁４２ａ，両側面壁４２ｂ，４２ｂ，後面壁４２ｃの下端には、全周にわたって外方へ拡張されたフランジ４３が形成されている。そして、前面壁４２ａ及び両側面壁４２ｂ，４２ｂのフランジ部分４３ａ，４３ｂ，４３ｂには、その幅方向中央にほぼ全長にわたって下方に突出する凸条４４が形成されている。また、後面壁４２ｃのフランジ部分４３ｃは、上記フランジ部分４３ａ，４３ｂ，４３ｂよりも幅が広く形成されている。
【００４３】
この後面壁４２ｃのフランジ部分４３ｃには、下方へ突出する４つの円形凸部４５が形成され、それらの間には上方へ突出する３つの台部４６が形成されている。また、後面壁４２ｃの台部４６に対応する位置には、外方へ突出する３つの凸部４７が形成されている。また、このフランジ部分４３ｃには、台部４６と後面壁４２ｃとの間にヒンジ４８が形成されている。ヒンジ４８は、フランジ部分４３ｃの幅方向に溝を形成することによって構成してもよく、又は折癖をつけることによって構成してもよい。
【００４４】
さらに、前面壁４２ａには、外方に開口する窪み４９が形成され、前面壁４２ａのフランジ部分４３ａには、該蓋体４０と上記容器本体３０からなる食品収納容器２０を上記剛性枠体１０に収納した状態において、剛性枠体１０の外方に突出する把手５０が延設されている。そして、該把手５０には、複数本のリブ５０ａが形成されている。
【００４５】
上記のように構成された容器本体３０と蓋体４０とは、蓋体４０の後面壁４２ｃのフランジ部分４３ｃに形成された円形凸部４５を、容器本体３０の後面壁３２ｃのフランジ部分３３ｃに形成された円形凹部３８に嵌合することによって、組み付けられる。
この組み付け方法により、容器本体３０と蓋体４０とを強固に信頼性高く結合できるが、蓋体４０の容器本体３０への組み付け方法の他の態様としては、蓋体の後端側に舌片を設け、容器本体の後端側のフランジ部分に切り込みを設け、該切り込みに上記舌片を挿入することによって、容器本体に蓋体を開閉自在に係止する態様などが挙げられる。
【００４６】
このようにして組み付けられた容器本体３０と蓋体４０とは、容器本体３０のフランジ部分３３ｃと蓋体４０のフランジ部分４３ｃとが互いに強固に結合され、容器本体３０の凹条３５に蓋体４０の凸条４４が挿嵌され、容器本体３０と蓋体４０とが良好に位置決めされ、外部からの塵埃等の侵入を効果的に防ぐことができる食品収納容器２０となる。
【００４７】
この食品収納容器２０の外形寸法は、図示した実施の形態のものにあっては、幅３００ｍｍ、長さ３５０ｍｍ、高さ７０ｍｍ程度であり、容器本体３０の高さは、３５ｍｍ程度である。容器本体３０の外形寸法は上記剛性枠体１０の収納部１４の内寸法と略同一であるため、この食品収納容器２０を上記剛性枠体１０に収納すると、容器本体３０の部分がすっぽり剛性型枠１０に収納された状態となり、容器本体３０を剛性枠体１０によって十分に保護できると共に、容器本体３０内に収納した食品を取り出す際、剛性枠体１０が邪魔となることはない。
なお、剛性枠体１０の収容部１４に食品収納容器２０を収納する際には、図示したように１つの剛性枠体の収納部に１つの食品収納容器を収納しても、図示しないが１つの剛性枠体の収納部に複数の食品収納容器を並べて収納してもよい。収納される食品収納容器が複数である場合には、上記保護性の観点から、並べられた複数の食品収納容器の外形寸法が、剛性枠体の収納部の内寸法と略同一であることが好ましい。
【００４８】
上記食品収納容器２０を構成する容器本体３０及び蓋体４０は、いずれも合成樹脂シートの成形品であるが、その合成樹脂シートの基材樹脂としては、スチレンの単独重合体樹脂、スチレンと他のモノマーとから製造されたスチレン系共重合体樹脂、スチレンの単独重合体樹脂又は／及びスチレン系共重合体樹脂とスチレン−ブタジエンブロック共重合体との混合物、ゴム状重合体の存在下でスチレン系モノマーを重合することによって得られるゴム変性スチレン系樹脂（耐衝撃性ポリスチレン）、或いは上記したスチレン系の樹脂と他の樹脂又は／及びゴム状重合体との混合物等の、スチレン成分比率が５０重量％以上であるポリスチレン系樹脂或いはポリスチレン系樹脂組成物；エチレンの単独重合体樹脂、エチレンと他のモノマーとから製造されたエチレン系共重合体樹脂、エチレンの単独重合体樹脂又は／及びエチレン系共重合体樹脂にスチレン系モノマー等のビニルモノマーを含浸させて重合してなるグラフト変性エチレン系樹脂、或いは上記エチレン系の樹脂と他の樹脂又は／及びゴム状重合体との混合物等の、エチレン成分比率が５０重量％以上であるポリエチレン系樹脂或いはポリエチレン系樹脂組成物；プロピレンの単独重合体樹脂、プロピレンと他のモノマーとから製造されたプロピレン系共重合体樹脂、プロピレンの単独重合体樹脂又は／及びプロピレン系共重合体樹脂にスチレン系モノマー等のビニルモノマーを含浸させて重合してなるグラフト変性プロピレン系樹脂、或いは上記プロピレン系の樹脂と他の樹脂又は／及びゴム状重合体との混合物等の、プロピレン成分比率が５０重量％以上であるポリプロピレン系樹脂或いはポリプロピレン系樹脂組成物；ポリエチレンテレフタレート、ポリブチレンテレフタレート、テレフタル酸とエチレングリコールとシクロヘキサンジメタノールとの共重合体等の芳香族ポリエステル樹脂；ポリカーボネート樹脂；ポリアミド樹脂；ポリフェニレンエーテル樹脂；或いは上記した樹脂の２以上の混合物等が例示される。
【００４９】
特に上記の中でも、容器本体３０としては、ポリスチレン系樹脂、ポリスチレン系樹脂組成物、ポリプロピレン系樹脂或いはポリプロピレン系樹脂組成物を基材樹脂とする熱可塑性樹脂シートからなるものがコスト面、及び強度と軽量性とのバランスに優れる点で好ましく、その中でも、ポリプロピレン系樹脂或いはポリプロピレン系樹脂組成物を基材樹脂とする熱可塑性樹脂シートからなるものは、耐油性及び耐熱性が高いことから好ましく、また、ポリスチレン系樹脂或いはポリスチレン樹脂組成物を基材樹脂とする熱可塑性樹脂シートからなるものは、特に安価である上、熱成形性に優れ所望の形状どおりに成形し易いことから好ましい。また、容器本体３０としては、断熱性等の物性が要求される場合には、発泡の熱可塑性樹脂シートからなるものであってもよい。
【００５０】
一方、蓋体４０としては、上記した樹脂又は樹脂組成物を基材樹脂とする透明性の高い樹脂、中でも、ポリスチレン系樹脂，ポリエステル系樹脂，ポリプロピレン系樹脂から選択される一種以上の熱可塑性樹脂シートからなるものが好適に使用される。上記ポリプロピレン系樹脂としては、テルペン樹脂等の透明性改良剤をポリプロピレン系樹脂に添加したものや、ポリプロピレン系樹脂の結晶性を調整したもの等が挙げられる。
【００５１】
上記熱可塑性樹脂シートは、通常、厚み０．３〜８．０ｍｍであるが、特に、厚み０．５〜５．０ｍｍであると熱成形に優れるため好ましい。
上記熱可塑性樹脂シートが非発泡である場合、容器本体３０として使用される場合にはその厚みは０．１〜３．０ｍｍが好ましく、０．２〜２．０ｍｍがより好ましい。一方、蓋体４０として使用される場合にはその厚みは０．０７〜２．０ｍｍが好ましく、０．１〜１．０ｍｍがより好ましい。
なお、熱可塑性樹脂シートとしては、フィルムが積層された積層体であっても構わない。
【００５２】
上記熱可塑性樹脂シートは、従来周知の方法にて製造され、該熱可塑性樹脂シートを従来周知の真空成形、圧空成形等の熱成形手段により成形することにより、上記容器本体３０及び蓋体４０を得ることができる。また、上記熱可塑性樹脂シートは、着色剤、無機充填剤等の各種添加剤を配合したものとすることもできる。
【００５３】
上記した食品収納容器２０は、上記した剛性枠体１０に収納され、その容器本体３０の収容凹部３１に惣菜等を並べて、陳列棚等に置かれる。その際、惣菜等から汁が流れ出た場合には、汁は容器本体３０の底壁に形成された凸模様３９，３９間の溝に流れ込み、惣菜等の底面が濡れるのを防止する。
そして、把手５０及び窪み４９に指を入れて蓋体４０の前面壁４２ａを上方に引き上げると、蓋体４０は、図３に示したように、ヒンジ４８を中心にして開成される。そこで、購買者は容器本体３０の収容凹部３１から惣菜等を取り出すことができる。
【００５４】
以上、本考案に係る食品陳列用容器の実施の形態を説明したが、本考案は、何ら既述の実施の形態に限定されるものではなく、実用新案登録請求の範囲に記載した本考案の技術的思想の範囲内において、種々の変形、変更を加えた食品陳列用容器とすることができることは当然である。
【符号の説明】
【００５５】
１    食品陳列用容器
１０    剛性枠体
１１，１１ａ，１１ｂ，１１ｃ，１１ｄ    側板材
１２，１２ａ，１２ｂ，１２ｃ    底板材
１３    面取り
１４    収納部
２０    食品収納容器
３０    容器本体
３１    収納凹部
３２ａ    前面壁
３２ｂ    側面壁
３２ｃ    後面壁
３３    フランジ
３３ａ，３３ｂ，３３ｃ    フランジ部分
３４    縁部
３５    凹条
３６    凹部
３７    補強リブ
３８    円形凹部
３９    凸条模様
４０    蓋体
４１    天井空間
４２ａ    前面壁
４２ｂ    側面壁
４２ｃ    後面壁
４３    フランジ
４３ａ，４３ｂ，４３ｃ    フランジ部分
４４    凸条
４５    円形凸部
４６    台部
４７    凸部
４８    ヒンジ
４９    窪み
５０    把手
５０ａ    リブ
【図１】
0003157272.tif 000003
【図２】
0003157272.tif 000004
【図３】
0003157272.tif 000005
【図４】
0003157272.tif 000006
【図５】
0003157272.tif 000007
【図６】
0003157272.tif 000008